(57)【要約】  【課題】  凝縮液の流出を防ぎ、コンパクトかつ低コストで製造することができるガス分析計用スクラバおよびこれを用いたガスサンプリング装置を提供する。  【解決手段】  ケース１０内にスクラバ物質１１が設けられ、サンプルガスＳ中に含まれる測定対象成分の測定を妨害する干渉成分を除去した後、前記サンプルガスＳを下流側へと送るように構成されたガス分析計用スクラバ７において、前記ケース１０内で生じた凝縮液Ｌが下流側へ流出するのを防止する流出防止機構１２をケース１０に内蔵させた。  【選択図】  図１
2005114426.tif 000002
【特許請求の範囲】
【請求項１】
ケース内にスクラバ物質が設けられ、サンプルガス中に含まれる測定対象成分の測定を妨害する干渉成分を除去した後、前記サンプルガスを下流側へと送るように構成されたガス分析計用スクラバにおいて、前記ケース内で生じた凝縮液が下流側へ流出するのを防止する流出防止機構をケースに内蔵させたことを特徴とするガス分析計用スクラバ。
【請求項２】
流出防止機構が、ケースの下流部に設けられ、凝縮液が溜められる液溜め部と、この液溜め部の上方に配置され、サンプルガスをガス通路へと導くガス導入口とを備え、ガス導入口からガス通路に導入されたサンプルガスが、ケースの下流側へと送られるように構成してある請求項１に記載のガス分析計用スクラバ。
【請求項３】
流出防止機構が、ケースの下流部に密着固定され、凝縮液が溜められる液溜め部を形成する仕切り部と、この仕切り部を貫通するガス通路が内部に設けられるとともに、側壁における前記液溜め部の上方の位置に、サンプルガスをガス通路へと導くガス導入口が設けられた筒部と、この筒部の上流側端部を閉塞する閉塞部とを備え、ガス導入口からガス通路に導入されたサンプルガスが、ケースの下流側へと送られるように構成してある請求項１に記載のガス分析計用スクラバ。
【請求項４】
ケースを加熱保温するようにした請求項１〜３のいずれかに記載のガス分析計用スクラバ。
【請求項５】
ガス採取部の下流側のガスサンプリング流路に、請求項１〜４のいずれかに記載のガス分析計用スクラバを設けたことを特徴とするガスサンプリング装置。
【発明の詳細な説明】
【技術分野】
【０００１】
この発明は、例えば、ボイラなどから排出される燃焼排ガスの一部をサンプルガスとして採取してガス分析計に供給する際に、サンプルガスの採取点等、ガス分析計の上流側に配置されるガス分析計用スクラバおよびこれを用いたガスサンプリング装置に関する。
【背景技術】
【０００２】
例えば、石炭を燃焼させるボイラから煙道に排出される燃焼排ガス（以下、単に排ガスという）中の一部をサンプリングし、これをサンプルガスとしてＳＯ2 分析計に連続的に供給して、排ガス中のＳＯ2 を連続的に分析する場合、粉塵や煤塵などのダストに加えて、ＳＯ2 の測定を妨害するＮＨ3 やＳＯ3 塩ミスト（ＳＯ3 と金属とのミスト状反応生成物）などの干渉成分が排ガス中に混入していることが問題となる。すなわち、ダストは、ＳＯ2 分析計のメンテナンス周期を短くするといった不都合があり、ＮＨ3 やＳＯ3 塩ミストはＳＯ2 の分析結果に悪影響を及ぼす。
【０００３】
そこで、従来においては、ＳＯ2 分析計の前段に、図５に示すようなガスサンプリング装置を設けることで、サンプルガス中のダストやＮＨ3 等を可及的に除去しようとしていた。すなわち、この図において、２は煙道で、矢印で示すように排ガスＧが流れている。２４はこの煙道２に挿入配置されるガス採取部としてのガスサンプリング用のプローブ管である。そして、このプローブ管２４の後段のサンプルガス流路２５には、ケース２６ａ内にフィルタエレメント２６ｂを収容してなる排ガス測定用フィルタ２６と、ケース２７ａ内にＮＨ3 等の干渉成分を除去するためのスクラバカラム２７ｂを収容し、適宜の温度に加熱されたスクラバユニット２７とが設けられるとともに、これらの排ガス測定用フィルタ２６とスクラバユニット２７との間を加熱配管２８で接続し、スクラバユニット２７の下流側出口は、加熱配管２９を介してＳＯ2 分析計３０に接続されていた。
【０００４】
上記構成のガスサンプリング装置においては、煙道２を流れる排ガスＧの一部は、プローブ管２４によってサンプリングされてサンプルガスとなってサンプルガス流路２５に入り、その上流側に設けられているフィルタエレメント２６ｂを通過する際、ダストが除去され、さらに、加熱配管２８を経てスクラバユニット２７に入り、これを通過する際にＮＨ3 およびＳＯ3 塩ミストといった干渉成分が除去される。そして、ダストおよび干渉成分が除去されたサンプルガスは、加熱配管２９を経てＳＯ2 分析計３０に導入され、ＳＯ2 の分析に供される。
【特許文献１】特公昭５６−２４８９１号公報
【発明の開示】
【発明が解決しようとする課題】
【０００５】
しかし、上記従来のガスサンプリング装置においては、以下のような問題があった。すなわち、スクラバユニット２７のスクラバカラム２７ｂ内には、多孔質の担体材料に不揮発性酸類を含浸したスクラバ物質（図示していない）が設けられ、スクラバ物質にサンプルガスが接触することにより、サンプルガス中の干渉成分が除去されるが、サンプルガス中に水分が多く含まれていたり、スクラバカラム２７ｂ内の温度が低くなったりすると、スクラバカラム２７ｂ内でサンプルガスがスクラバ物質に接触することによって生成されるアンモニウム塩類などの不純物がサンプルガス中の水分に溶けたところの凝縮液が生じる。そして、この凝縮液が後段の加熱配管２９に流入すると、加熱配管２９の内壁に凝縮液中の不純物が堆積してしまい、ひいては配管の詰まりが生じ、ＳＯ2 分析計３０へのサンプルガスの供給に支障をきたして、測定が不可能となるというおそれがあった。
【０００６】
上記不都合を回避するため、スクラバユニット２７の下流側に、凝縮液が加熱配管２９へと流入するのを防止するためのドレンポットを設けることが考えられるが、この場合、ドレンポットを設置するためのスペースが必要となってガスサンプリング装置が大型化し、また、その製造コストも著しく上昇するという問題が新たに生じる。
【０００７】
この発明は上述の事柄に留意してなされたもので、その目的は、凝縮液の流出を防ぎ、コンパクトかつ低コストで製造することができるガス分析計用スクラバおよびこれを用いたガスサンプリング装置を提供することである。
【課題を解決するための手段】
【０００８】
上記目的を達成するために、この発明のガス分析計用スクラバは、ケース内にスクラバ物質が設けられ、サンプルガス中に含まれる測定対象成分の測定を妨害する干渉成分を除去した後、前記サンプルガスを下流側へと送るように構成されたガス分析計用スクラバにおいて、前記ケース内で生じた凝縮液が下流側へ流出するのを防止する流出防止機構をケースに内蔵させた（請求項１）。
【０００９】
好ましくは、流出防止機構が、ケースの下流部に設けられ、凝縮液が溜められる液溜め部と、この液溜め部の上方に配置され、サンプルガスをガス通路へと導くガス導入口とを備え、ガス導入口からガス通路に導入されたサンプルガスが、ケースの下流側へと送られるように構成してある（請求項２）。
【００１０】
具体的には、流出防止機構が、ケースの下流部に密着固定され、凝縮液が溜められる液溜め部を形成する仕切り部と、この仕切り部を貫通するガス通路が内部に設けられるとともに、側壁における前記液溜め部の上方の位置に、サンプルガスをガス通路へと導くガス導入口が設けられた筒部と、この筒部の上流側端部を閉塞する閉塞部とを備え、ガス導入口からガス通路に導入されたサンプルガスが、ケースの下流側へと送られるように構成してある（請求項３）。
【００１１】
また、ケースを加熱保温するようにすることが望ましい（請求項４）。
【００１２】
さらに、上記目的を達成するために、この発明のガスサンプリング装置は、ガス採取部の下流側のガスサンプリング流路に、請求項１〜４のいずれかに記載のガス分析計用スクラバを設けている（請求項５）。
【発明の効果】
【００１３】
この発明（請求項１）によれば、流出防止機構によって、ケース内で生じた凝縮液が下流側に流出することが確実に防止される。従って、ケース後段の配管内での詰まりを防止することができるとともに、ケース内で生じた反応生成物が溶けた凝縮液をケース内に確実に留めておくことができ、ケースひいてはガス分析計用スクラバの取り扱いにおける安全性が大いに向上する。また、ドレンポットをガス分析計用スクラバの下流側に別途設けるとその設置スペースが必要になるが、この発明では、流出防止機構をケースに内蔵させたことにより、構成全体がコンパクトとなる。
【００１４】
請求項２の発明によれば、例えば、ケース内における閉塞された一部分を利用して液溜め部を形成することができ、また、液溜め部の上方に位置するガス導入口と、このガス導入口をケースの外部（下流側）に連通させるためのガス通路とを有する筒部を設ければ、流出防止機構を構成することができ、従って、流出防止機構を備えたガス分析計用スクラバの構成全体がシンプルで安価なものとなる。
【００１５】
また、請求項３の発明によれば、例えば、仕切り部、筒部および閉塞部を備えた部材をケースに固定するだけで流出防止機構を構成することができる。従って、既製のスクラバカラムとしてのケースに上記部材を固定するだけで構成することができるこの発明は、少ない部材数で非常に簡単かつシンプルに製造することができ、製造コストも低減される。
【００１６】
請求項４の発明によれば、ケースを加熱保温するので、サンプルガス中に含まれる水分量が多い場合などであっても、その水分のケース内での結露が効果的に防止される。
【００１７】
請求項５の発明では、請求項１〜４のガス分析計用スクラバを用いるので、ガス分析計用スクラバのケース内で発生した凝縮液が下流側の配管に流出し、この配管に詰まりが生じてサンプリング不良による欠測が発生することなどが確実に回避され、後段のガス分析計に長期間良好な状態で測定を行わせることができる。また、凝縮液の流出を防止するための流出防止機構をケースに内蔵させるので、ガスサンプリング装置自体の大幅な改良は全く不要であるばかりでなく、既製のガスサンプリング装置をそのまま利用することもでき、従って、低コストで容易にその機能を飛躍的に向上させることができる。
【００１８】
すなわち、請求項１〜５の発明によれば、ガス分析計用スクラバのケース内で生じた凝縮液の下流側への流出を確実に防止することができ、また、そのための流出防止機構の構成がシンプルかつコンパクトであるので、それに伴って、上述したような非常に好ましい効果が得られる。
【発明を実施するための最良の形態】
【００１９】
図１〜図３は、この発明の一実施例を示す。
【００２０】
図１に示すように、この実施例のガスサンプリング装置１は、ボイラなどから排出されて煙道２を流れる排ガスＧの一部をサンプルガスＳとして採取し、このサンプルガスＳをガス分析計３に供給するように構成されており、ガス分析計３では、供給されたサンプルガスＳ中のＳＯ2 を測定対象成分として測定する。
【００２１】
詳しくは、ガスサンプリング装置１は、ガス採取部としてのガスサンプリング用のプローブ管４を有し、また、このプローブ管４からガス分析計３までの間に形成されるガスサンプリング流路５中に、上流側から順に、プローブ管４によって採取したサンプルガスＳからダストを除去するためのガス分析計用フィルタ６と、前記サンプルガスＳから測定対象成分の測定を妨害する干渉成分を除去するためのガス分析計用スクラバ７とを備えている。
【００２２】
また、ガスサンプリング流路５の適所またはガス分析計３の下流側には、サンプルガスＳを常に一定量吸引することができる吸引ポンプ（図示していない）が設けられている。
【００２３】
プローブ管４は、耐腐食性素材よりなり、煙道２を形成する壁体に対してこれを挿通する状態となるように着脱自在に取り付けられ、その先端から煙道２内を流れる排ガスＧをサンプルガスＳとして良好に取り込むことができるように構成されている。
【００２４】
ガス分析計用フィルタ６は、耐腐食性素材よりなるケース６ａと、このケース６ａ内に収容されるフィルタエレメント６ｂと、前記ケース６ａ内を適宜の温度（例えば１５０〜２００℃）に加熱するための例えば適宜の加熱用ヒータよりなる加熱手段（図示していない）とを備え、また、ケース６ａ内においてサンプルガスＳ中の水分が結露することを防止するために、ケース６ａを例えば断熱カバーよりなる防滴ケース６ｃによって覆ってある。
【００２５】
ガス分析計用フィルタ６とガス分析計用スクラバ７とは加熱配管８を介して接続され、ガス分析計用スクラバ７の下流側出口は、加熱配管９を介してガス分析計３に接続されている。なお、加熱配管８，９は、それぞれ内部の温度が例えば１１０〜１２０℃程度となるように構成される。
【００２６】
そして、この実施例のガスサンプリング装置１は、ガス分析計用スクラバ７の構成に特徴を有している。以下、図２、図３を参照しながら、ガス分析計用スクラバ７の特徴的構成について説明する。
【００２７】
ガス分析計用スクラバ７は、スクラバカラムとしてのケース１０内にスクラバ物質１１を設けてあり、また、前記ケース１０内で生じた凝縮液Ｌが下流側へ流出するのを防止する流出防止機構１２をケース１０に内蔵させてある。
【００２８】
ケース１０は、半透明な耐熱性の樹脂（例えば、ポリプロピレンなど）によって形成され、上下に対称な構造をしており、筒体１３と、この筒体１３の両端に着脱自在に取り付けられるキャップ１４，１５とを備えている。
【００２９】
筒体１３は、ほぼ円筒状の本体部１３ａと、この本体部１３ａの上端に径縮小部分１３ｂを介して連設され、外周面に雄ねじ部１３ｃが設けられた上端部１３ｄと、本体部１３ａの下端に径縮小部分１３ｂを介して連設され、外周面に雄ねじ部１３ｅが設けられた下端部１３ｆとを有している。
【００３０】
キャップ１４は、筒体１３の上側の雄ねじ部１３ｃに螺合する雌ねじ部１４ａと、この雌ねじ部１４ａに径縮小部分１４ｂを介して連設された管部１４ｃとを有し、雌ねじ部１４ａの外周面には、筒体１３へのキャップ１４の螺着作業の際に滑り止めとなる突条１４ｄが複数設けられている。また、キャップ１５は、キャップ１４と同一構造をしており、筒体１３の下側の雄ねじ部１３ｅに螺合する雌ねじ部１５ａと、この雌ねじ部１５ａに径縮小部分１５ｂを介して連設された管部１５ｃとを有し、雌ねじ部１５ａの外周面には、筒体１３へのキャップ１５の螺着作業の際に滑り止めとなる突条１５ｄが複数設けられている。
【００３１】
スクラバ物質１１は、筒体１３の本体部１３ａ内部の上、下に設けられる２つの網状の押さえ部材１６ａ，１６ｂによって挟まれた状態で筒体１３の本体部１３ａ内に保持される。そして、スクラバ物質１１は、サンプルガスＳが接触すると、サンプルガスＳ中に含まれる測定対象成分には影響を与えず、サンプルガスＳ中に含まれる干渉成分を他の成分に変換したり捕集したりすることにより、干渉成分がガス分析計３における測定を妨害しないようにするためのものであり、例えば、前記干渉成分と反応して、干渉成分を測定対象成分の測定を妨害しない成分に変換する反応液を、不活性で多孔質の担体材料に含浸させてなる。
【００３２】
なお、この実施例では、ガス分析計３の測定対象成分がＳＯ2 であるので、このＳＯ2 とは反応せず、干渉成分であるＮＨ3 やＳＯ3 塩ミストと反応しやすい不揮発性の酸性物質を用いてスクラバ物質１１を構成することが好ましく、例えば、担体材料としての活性炭や多孔質珪石に反応液としての高濃度りん酸（Ｈ3 ＰＯ4 ）を含浸させたものをスクラバ物質１１として用いる。
【００３３】
流出防止機構１２は、ケース１０の下流部に設けられ、凝縮液Ｌが溜められる液溜め部１７と、この液溜め部１７の上方に配置され、サンプルガスＳをガス通路１８へと導入するガス導入口１９とを有している。
【００３４】
詳しくは、流出防止機構１２は、ケース１０の下流部に配置され、サンプルガスＳと凝縮液Ｌとを分離する縦断面視がほぼエの字形状の分離部材２０を備えている。この分離部材２０は、内部にガス通路１８が設けられ、サンプルガスＳを内部に導入するためのガス導入口１９が側壁上部に複数形成されたほぼ円筒状の筒部２１と、この筒部２１の上流側端部を閉塞する閉塞部２２と、筒部２１の周縁に連設された仕切り部２３とを備え、前記仕切り部２３は、ケース１０内を上流側と下流側とに隔離するようにケース１０に密着固定される。
【００３５】
筒部２１の下流側端部は開放されており、それに伴って、筒部２１の内部に設けられたガス通路１８は、仕切り部２３を貫通し、キャップ１５の管路１５ｃ内へと続くように構成されており、また、ガス導入口１９は、筒部２１の側壁において、液溜め部１７よりも上方となる位置（換言すれば液溜め部１７に溜められる凝縮液Ｌの水位よりも上側となる位置）に設けられている。
【００３６】
閉塞部２２は、その外径が筒部２１の外径よりも大きく、筒体１３の下端部１３ｆの内径よりも小さくなるように形成されている。そして、閉塞部２２の上面には、スクラバ物質１１を保持する２つの押さえ部材１６ａ，１６ｂのうちの下側の押さえ部材１６ｂが当接した状態となる。
【００３７】
仕切り部２３は、この実施例では筒部２１の下流端部に設けられており、その外径が筒体１３の下端部１３ｆの内径よりも大きく、筒体１３の下端部１３ｆ（雄ねじ部１３ｅ）の外径あるいはキャップ１５の雌ねじ部１５ａの内径よりも小さくなるように形成されている。また、仕切り部２３は、接着剤の塗布など適宜の手段により、筒体１３の下端にその上面が接着され、キャップ１５の径縮小部分１５ｂの上面にその下面が接着される。そして、このようにケース１０の下流部に密着固定される仕切り部２３は、筒体１３の内壁（詳しくは筒体１３の下端部１３ｆの内壁）とによって、凝縮液Ｌが溜められる液溜め部１７を形成する。
【００３８】
なお、この実施例では、筒体１３内におけるスクラバ物質１１を収容するための空間の体積に対する筒体１３内における分離部材２０を収容するための空間（すなわち下側の押さえ部材１６ｂより下方の空間）の体積の比が、おおよそ５〜１０％となるように構成してある。
【００３９】
上記構成のガス分析計用スクラバ７は、図示していないヒータなどの加熱手段によって適宜の温度（８０〜１９０℃）となるように加熱、保温され、また、例えば断熱カバーよりなる防滴ケース（図示していない）によって全体が覆われた（収容された）状態で使用される。
【００４０】
また、前記ガス分析計用スクラバ７は、使い捨てタイプとして構成されており、長期間使用後、例えばスクラバ物質１１の機能が十分に発揮されなくなった場合には、新しいガス分析計用スクラバ７に取り替えられる。
【００４１】
次に、上記構成のガスサンプリング装置１の作動について説明する。
【００４２】
まず、ボイラの煙道２を構成する壁体にプローブ管４を取り付けた状態で、ケース６ａ内を加熱手段によって所定の温度にする。そして、この状態で吸引ポンプを作動させると、煙道２を流れる排ガスＧの一部がプローブ管４によってサンプリングされ、サンプルガスＳとなってプローブ管４内を下流側に進み、ガス分析計用フィルタ６のケース６ａ内に入る。
【００４３】
ケース６ａ内に入ったサンプルガスＳは、フィルタエレメント６ｂを通過する。この通過の際、サンプルガスＳ中のダストがフィルタエレメント６ｂに捕集され、サンプルガスＳからはダストが除去された状態となる。
【００４４】
続いて、サンプルガスＳは、加熱配管８を経てガス分析計用スクラバ７内に入る。ガス分析計用スクラバ７内に入ったサンプルガスＳは、まず、入口側のキャップ１４の管部１４ｃを経て筒体１３内に至り、２つある押さえ部材１６のうちの上側の押さえ部材１６を通過した後、スクラバ物質１１と接触しながら下流側へと進む。
【００４５】
このとき、サンプルガスＳ中の測定対象成分であるＳＯ2 は、スクラバ物質１１（高濃度のＨ3 ＰＯ4 ）と反応することはないが、サンプルガスＳ中の干渉成分であるＮＨ3 やＳＯ3 塩ミスト（ここで、ＭＳＯ3 と表す）は、スクラバ物質１１の高濃度のＨ3 ＰＯ4 とそれぞれ下記（１），（１’），（２）式のように反応する。
ＮＨ3 ＋Ｈ3 ＰＯ4 →（ＮＨ4 ）2 ＨＰＯ4                           …（１）
ＮＨ3 ＋Ｈ3 ＰＯ4 →ＮＨ4 Ｈ2 ＰＯ4                               …（１’）
ＭＳＯ3 ＋Ｈ3 ＰＯ4 →ＭＨＰＯ4 ＋ＳＯ2 ↑＋Ｈ2 Ｏ                …（２）
【００４６】
上記（１），（１’），（２）式に示したように、干渉成分であるＮＨ3 やＳＯ3 塩ミストが、スクラバ物質１１である高濃度のＨ3 ＰＯ4 とそれぞれ反応することで、白色のりん酸アンモニウムや弱酸塩などの反応生成物が生成・析出され、同時に、サンプルガスＳからは干渉成分が除去された状態となる。そして、サンプルガスＳ中に水分が多く含まれていたり、ケース１０内の温度が低くなったりすると、上記反応生成物などがサンプルガスＳ中の水分に溶けて凝縮液Ｌとなり、凝縮液Ｌはスクラバ物質１１やケース１０の内壁をつたうなどして下方に流れ、液溜め部１７に溜まる。
【００４７】
しかし、液溜め部１７に溜められる凝縮液Ｌが、分離部材２０のガス導入口１９から筒部２１内に入ることはない。すなわち、ガス導入口１９を、筒体１３の内壁から離れ、かつ液溜め部１７よりも上方となる位置に設けてあるので、筒体１３の内壁を伝って流れる凝縮液Ｌや液溜め部１７に溜まった凝縮液Ｌがガス導入口１９内に入ることがなく、さらに、筒部２１の上側に筒部２１よりも径が大きい閉塞部２２を設けてあり、この閉塞部２２を、凝縮液Ｌのガス導入口１９への進入を防止する部材として機能を発揮するように構成してあるので、分離部材２０に向けて落下してきた凝縮液Ｌがガス導入口１９内へと進入することが防止される。
【００４８】
一方、スクラバ物質１１と接触しながら下流側へと進み、下側の押さえ部材１６を通過したサンプルガスＳは、ガス導入口１９から筒部２１内のガス通路１８に入り、このガス通路１８に入ったサンプルガスＳのみが、筒部２１の下流側の開口から筒体１３外へと導出され、さらに、出口側のキャップ１５の管部１５ｃを経てガス分析計用スクラバ７の下流側に送出される。
【００４９】
ガス分析計用スクラバ７を経て干渉成分が除去されたサンプルガスＳは、加熱配管９を経てガス分析計３に供給される。
【００５０】
上記構成のガス分析計用スクラバ７では、液溜め部１７の上方に位置するガス導入口１９と、このガス導入口１９をケース１０の外部（下流側）に連通させるためのガス通路１８とを有する筒部２１を備えた分離部材２０を設け、この分離部材２０により流出防止機構１２を構成してある。従って、流出防止機構１２は、ケース１０内で生じた凝縮液Ｌが下流側に流れることを確実に防ぐ機能を有するとともに、その構成が非常にシンプルとなっている。
【００５１】
なお、この発明は、上述の実施の形態に限られるものではなく、種々に変形して実施することができる。例えば、ガス分析計用スクラバ７は、図１に示すように、鉛直方向、すなわち傾斜角度αがほぼ９０°となるように配置することが好ましいが、ガス導入口１９内に凝縮液Ｌが進入しない範囲でガス分析計用スクラバ７を傾斜させてあってもよい。例えば、ガス分析計用スクラバ７の傾斜角度αを４５°〜９０°として設定することができる。
【００５２】
また、ケース１０は、樹脂製に限られず、金属製であってもよい。
【００５３】
さらに、サンプルガスＳ中の水分濃度にもよるが、サンプルガスＳ中の水分量が１３体積％以上では、９０〜２００℃の範囲でケース１０を使用する場合があり、ガス分析計用スクラバ７のケース１０を、図４に示すように、アルミニウムなどの金属からなる金属ブロック３１内に取り外し可能に収容し、金属ブロック３１にカートリッジヒータなどの温度調整機能を有する加熱手段３２を取り付けて、この加熱手段３２で金属ブロック３１を適宜に加熱することで、金属ブロック３１内のケース１０を加熱保温するように構成してもよい。また、この場合、金属ブロック３１全体を、断熱カバーよりなる防滴ケース３３によって覆ってもよい。
【００５４】
加熱手段３２は、金属ブロック３１の温度を温度センサ３２ａにより測定し、その出力に基づいて金属ブロック３１を加熱する温度を調整するように構成されている。そして、加熱手段３２は、例えば、ケース１０が樹脂製である場合には約９０℃、金属製である場合には約１５０℃にケース１０を加熱保温する。また、スクラバ物質１１の特性等によっては、ケース１０を室温＋１０℃以上程度の温度となるように加熱保温してもよい。
【図面の簡単な説明】
【００５５】
【図１】本発明の一実施例に係るガスサンプリング装置の構成を概略的に示す説明図である。
【図２】上記実施例におけるガス分析計用スクラバの構成を概略的に示す説明図である。
【図３】上記実施例におけるガス分析計用スクラバの構成を概略的に示す分解斜視図である。
【図４】上記実施例におけるガス分析計用スクラバの変形例の構成を概略的に示す分解斜視図である。
【図５】従来のガスサンプリング装置の構成を概略的に示す説明図である。
【符号の説明】
【００５６】
７  ガス分析計用スクラバ
１０  ケース
１１  スクラバ物質
１２  流出防止機構
Ｌ  凝縮液
Ｓ  サンプルガス
【図１】
2005114426.tif 000003
【図２】
2005114426.tif 000004
【図３】
2005114426.tif 000005
【図４】
2005114426.tif 000006
【図５】
2005114426.tif 000007